(57)【要約】【課題】本発明は除湿装置に関するもので、除湿能力の低下を抑制することができるものである。【解決手段】そしてこの目的を達成するために本発明は、吸気口２と排気口３、排気口４、排気口５を有し、室内に設置される本体ケース１内にヒートポンプ６とを備え、吸気口２から吸熱器１３または放熱器１１の一部を介して排気口３へと送風する送風手段１８と、吸気口２から放熱器１１の一部を介して排気口４または排気口５へと送風する送風手段１９を設けるとともに、排気口５には本体ケース１と屋外とを連通する連通手段９を備え、吸気口２から本体ケース１内に吸気した空気を放熱器１１を介して排気口４または排気口５へと風路を切替る風路切替手段２０を備え、放熱器１１と送風手段１９との間に加湿手段２１である一定量の水が入った貯水ケース２２と、加湿フィルター２３とを設け、貯水ケース２２の水によって放熱器１１を冷却する構成としたものである。【選択図】図２
2011017469.tif 000002
【特許請求の範囲】
【請求項１】
吸気口と第１、第２、第３の排気口を有し、室内に設置される本体ケースと、この本体ケース内に設けられたヒートポンプとを備え、このヒートポンプは、圧縮機と、圧縮機の下流に順次設けた放熱器、膨張手段、吸熱器により形成し、前記吸気口から前記本体ケース内に吸気した空気を前記吸熱器または前記放熱器の一部を介して前記第１の排気口へと送風する第１の送風手段と、前記吸気口から前記本体ケース内に吸気した空気を前記放熱器の一部を介して前記第２の排気口または前記第３の排気口へと送風する第２の送風手段を設けるとともに、前記第１、第２の排気口は前記本体ケースと前記室内とを連通し、前記第３の排気口には前記本体ケースと屋外とを連通する連通手段を備え、前記吸気口から前記本体ケース内に吸気した空気を前記放熱器を介して前記第２の排気口または前記第３の排気口へと風路を切替る風路切替手段を備え、前記放熱器と前記第２の送風手段との間に加湿手段を設け、この加湿手段は、一定量の水が入った貯水ケースと、この貯水ケースの水を含水する加湿フィルターとから形成し、前記貯水ケースの水によって前記放熱器を冷却する構成とした空気調和機。
【請求項２】
加湿手段は、一定量の水が入った前記貯水ケースと、前記貯水ケースの水に周縁部の一部が浸含した円板形状の前記加湿フィルターと、前記加湿フィルターに前記貯水ケースの水を汲み上げ給水する給水部とから形成し、前記加湿手段である前記給水部は、前記貯水ケースの水を汲み上げ前記放熱器にも給水する構成とした請求項１に記載の空気調和機。
【請求項３】
放熱器は、前記吸熱器の下部に設けた請求項１または２に記載の空気調和機。
【請求項４】
放熱器は、蛇腹状の導管部と、この導管部に固定された複数のフィン部とから形成し、前記導管部に前記圧縮機から流れ込む冷媒は、前記放熱器の下部から上部へ流れる構成とした請求項１から３のいずれか一つに記載の空気調和機。
【請求項５】
放熱器の表面積は吸熱器の表面積より大きい請求項１から４のいずれか一つに記載の空気調和機。
【請求項６】
加湿手段である前記給水部は、前記貯水ケースの水を汲み上げ前記放熱器の下部に給水する構成とした請求項１から５のいずれか一つに記載の空気調和機。
【請求項７】
第１の送風手段は、前記吸熱器の下部に位置する構成とした請求項１から６のいずれか一つに記載の空気調和機。
【請求項８】
ヒートポンプの熱量を変化させる制御手段を備えた請求項１から７のいずれか一つに記載の空気調和機。
【請求項９】
加湿手段は、前記放熱器の下部に位置する構成とした請求項１から８のいずれか一つに記載の空気調和機。
【請求項１０】
第２の送風手段は、前記放熱器の中央部に位置する構成とした請求項１から９のいずれか一つに記載の空気調和機。
【請求項１１】
加湿手段である前記貯水ケースは、略箱形状で上面が開口し、この開口の上端部は前記放熱器の下端部より下に位置した構成である請求項９または１０に記載の空気調和機。
【請求項１２】
本体ケースを略箱形状とし、前記第１の排気口と前記第２の排気口は、前記本体ケースの天面に隣接して設けた請求項９から１１のいずれか一つに記載の空気調和機。
【請求項１３】
連通手段は、柔軟な中空形状のパイプである請求項１から１２のいずれか一つに記載の空気調和機。
【請求項１４】
連通手段は、外周部に断熱部分を設けた請求項１から１３のいずれか一つに記載の空気調和機。
【請求項１５】
吸気口と前記放熱器および前記吸熱器との間に空気清浄手段を設けた構成とした請求項１から１４のいずれか一つに記載の空気調和機。
【発明の詳細な説明】
【技術分野】
【０００１】
本発明は、ヒートポンプを活用し、除湿および加湿を行う空気調和機に関する。
【背景技術】
【０００２】
従来のこの種の空気調和機の構成は以下のようになっていた。
【０００３】
すなわち、第１の吸気口と第１の排気口を有する本体ケースと、この本体ケース内に設けられたヒートポンプを備え、このヒートポンプは、圧縮機と、圧縮機の下流に順次設けた放熱器、膨張手段、吸熱器により形成し、前記第１の吸気口から前記本体ケース内に吸気した空気を、除湿装置である吸熱器、放熱器を介して第１の排気口へと送風する第１の送風手段と、この第１の送風手段の風上側に加湿装置を設けたものである。
【先行技術文献】
【特許文献】
【０００４】
【特許文献１】特開昭６１−２８５３２７号公報
【発明の概要】
【発明が解決しようとする課題】
【０００５】
上記従来例における課題は、除湿効率が悪いということであった。
【０００６】
すなわち、従来の物においては、室内を除湿する場合には、ヒートポンプは、まず、圧縮機で冷媒を高温高圧の気体状態にし、この冷媒が放熱器に流れ、この放熱器に空気を当て、放熱器を冷却することにより、冷媒は熱が奪われ液化し、次に、放熱器で液化された冷媒を膨張手段により低圧にすることによって気液２層状態にし、最後に、この気液２層状態の冷媒を吸熱器に流す。吸熱器は冷却されているので、この吸熱器に室内の空気を当てれば、結露させ、除湿することができる。ここで、吸熱器での除湿効率を上げるには、放熱器が効率よく冷却されることが必要となる。
【０００７】
そこで、吸熱器で除湿した除湿空気が低温になっていることを利用し、この低温の除湿空気を放熱器に当てることにより、放熱器の冷却効率を上げていたが、除湿空気が放熱器で暖められるので、除湿空気によって室内の温度が上昇する場合があった。
【０００８】
そこで本発明は、室内温度の上昇を低減すると共に、除湿効率の向上を目的とするものである。
【課題を解決するための手段】
【０００９】
そしてこの目的を達成するために本発明は、吸気口と第１、第２、第３の排気口を有し、室内に設置される本体ケースと、この本体ケース内に設けられたヒートポンプとを備え、このヒートポンプは、圧縮機と、圧縮機の下流に順次設けた放熱器、膨張手段、吸熱器により形成し、前記吸気口から前記本体ケース内に吸気した空気を前記吸熱器または前記放熱器の一部を介して前記第１の排気口へと送風する第１の送風手段と、前記吸気口から前記本体ケース内に吸気した空気を前記放熱器の一部を介して前記第２の排気口または前記第３の排気口へと送風する第２の送風手段を設けるとともに、前記第１、第２の排気口は前記本体ケースと室内とを連通し、前記第３の排気口には前記本体ケースと屋外とを連通する連通手段を備え、前記吸気口から前記本体ケース内に吸気した空気を前記放熱器を介して前記第２の排気口または前記第３の排気口へと風路を切替る風路切替手段を備え、前記放熱器と前記第２の送風手段との間に加湿手段を設け、この加湿手段は、一定量の水が入った貯水ケースと、この貯水ケースの水を含水する加湿フィルターとから形成し、前記貯水ケースの水によって前記放熱器を冷却する構成としたものであり、これにより、初期の目的を達成するものである。
【発明の効果】
【００１０】
以上のように本発明は、吸気口と第１、第２、第３の排気口を有し、室内に設置される本体ケースと、この本体ケース内に設けられたヒートポンプとを備え、このヒートポンプは、圧縮機と、圧縮機の下流に順次設けた放熱器、膨張手段、吸熱器により形成し、前記吸気口から前記本体ケース内に吸気した空気を前記吸熱器または前記放熱器の一部を介して前記第１の排気口へと送風する第１の送風手段と、前記吸気口から前記本体ケース内に吸気した空気を前記放熱器の一部を介して前記第２の排気口または前記第３の排気口へと送風する第２の送風手段を設けるとともに、前記第１、第２の排気口は前記本体ケースと室内とを連通し、前記第３の排気口には前記本体ケースと屋外とを連通する連通手段を備え、前記吸気口から前記本体ケース内に吸気した空気を前記放熱器を介して前記第２の排気口または前記第３の排気口へと風路を切替る風路切替手段を備え、前記放熱器と前記第２の送風手段との間に加湿手段を設け、この加湿手段は、一定量の水が入った貯水ケースと、この貯水ケースの水を含水する加湿フィルターとから形成し、前記貯水ケースの水によって前記放熱器を冷却する構成としたものであるので、室内温度の上昇を低減すると共に、除湿効率の向上ができるものである。
【００１１】
すなわち、除湿動作においては、まず、圧縮機で冷媒を高温高圧の気体状態にし、この冷媒が放熱器に流れ、この放熱器を冷却することにより、冷媒は熱が奪われ液化し、次に、放熱器で液化された冷媒を膨張手段により低圧にすることによって気液２層状態にし、最後に、この気液２層状態の冷媒を吸熱器に流し、この吸熱器に室内の空気を当て結露させることにより、除湿するものである。ここで、放熱器で冷媒を冷却する場合に、放熱器に空気を当てると共に、加湿手段である貯水ケースの水よって放熱器を冷却するものである。つまり、加湿時に加湿フィルターに含水させる貯水ケースの水を、除湿時には、放熱器を冷却するために用いるものである。これにより、除湿効率の向上を図ることが出来るものである。更に、放熱器を冷却した空気は、第３の排気口から連通手段を介して屋外へ排気するので、室内温度の上昇を低減することが出来る。
【００１２】
結果として、室内温度の上昇を低減すると共に、除湿効率の向上を図ることが出来るものである。
【図面の簡単な説明】
【００１３】
【図１】本発明の実施の形態１の空気調和機の設置概略図
【図２】本発明の実施の形態１の空気調和機の断面概略図
【図３】本発明の実施の形態１の空気調和機の断面概略図
【図４】本発明の実施の形態１の空気調和機の給水部の概略図
【図５】同連通手段としての中空形状のパイプを示す概略図
【発明を実施するための形態】
【００１４】
以下、本実施形態を添付図面を用いて説明する。
【００１５】
（実施の形態１）
図１から図２に示すように、本体ケース１には、吸気口２と、排気口３と、排気口４と、排気口５とを有し、この本体ケース１内には、ヒートポンプ６を備えている。
【００１６】
吸気口２は、略縦長箱形状の本体ケース１の前面側面に位置し、空気清浄手段７である空気清浄フィルター８を備えている。
【００１７】
排気口３および排気口４は、本体ケース１の天面の背面側に位置し、排気口３と排気口４とは隣接した構成である。
【００１８】
排気口５は、本体ケース１の背面側面の天面側に位置したものである。
【００１９】
排気口３、および排気口４は、本体ケース１を設置する室内と、この本体ケース１内とを連通し、排気口５には、本体ケース１と屋外とを連通する連通手段９を備えている。
【００２０】
ヒートポンプ６は、圧縮機１０と、圧縮機１０の下流に順次設けた放熱器１１、膨張手段１２、吸熱器１３により形成している。図３に示すように、本体ケース１内の下部には、圧縮機１０を設け、中央部には放熱器１１を設け、上部には吸熱器１３を設けている。放熱器１１は、水平方向に直管部を有した蛇腹状の導管部１４と、この導管部１４に固定された複数のフィン部１５とから形成し、導管部１４に圧縮機１０から流れ込む冷媒は、放熱器１１の下部から上部へ流れるものである。同様に、吸熱器１３も、水平方向に直管部を有した蛇腹状の導管部１６と、この導管部１６に固定された複数のフィン部１７とから形成し、導管部１６に膨張手段１２から流れ込む冷媒は、吸熱器１３の下部から上部へ流れるものである。また、放熱器１１の表面積は吸熱器１３の表面積より大きいものである。
【００２１】
送風手段１８によって、吸気口２から本体ケース１内に吸気した空気は、空気清浄手段７である空気清浄フィルター８、吸熱器１３または放熱器１１の一部を順次介して排気口３へと送風され、送風手段１９によって、吸気口２から本体ケース１内に吸気した空気は、空気清浄手段７である空気清浄フィルター８、放熱器１１の一部を順次介して排気口４または排気口５へと送風されるものである。この排気口４または排気口５への風路の切替は、風路切替手段２０によって行われ、この風路切替手段２０は、排気口４、および排気口５と、送風手段１９との間の風路に設けられている。
【００２２】
送風手段１８は、吸熱器１３と排気口３との間の風路で、吸熱器１３に対向し、吸熱器１３下部に位置し、送風手段１９は、放熱器１１と排気口４および排気口５との間の風路で、放熱器１１に対向し、放熱器１１中央部に位置するものである。
【００２３】
放熱器１１と送風手段１９との間に加湿手段２１を設け、この加湿手段２１は、一定量の水が入った貯水ケース２２と、この貯水ケース２２の水を含水する加湿フィルター２３とから形成している。
【００２４】
以上の構成で、加湿動作および除湿動作を行うものである。
【００２５】
まず、加湿動作においては、ヒートポンプ６および送風手段１８は停止し、風路切替手段２０により、排気口４へ風路の切替を行い、送風手段１９によって、吸気口２から本体ケース１内に吸気した空気を放熱器１１の一部、および加湿フィルター２３を介して、排気口４から室内へと送風するものである。つまり、加湿手段２１である加湿フィルター２３は、貯水ケース２２の水を含水しているので、この水が、送風手段１９によって送風される空気に湿気を与え、この湿気を含んだ空気によって室内を加湿するものである。
【００２６】
本実施形態における特徴は、除湿動作時に、加湿手段２１である貯水ケース２２の水によって放熱器１１を冷却する点である。
【００２７】
すなわち、除湿動作においては、ヒートポンプ６は運転し、送風手段１８によって、吸気口２から本体ケース１内に吸気した空気は、空気清浄手段７である空気清浄フィルター８、吸熱器１３または放熱器１１の一部を順次介して排気口３へと送風される。ここで、吸熱器１３に送風された空気は、吸熱器１３で結露することによって除湿され、放熱器１１の一部に送風された空気は放熱器１１で暖められ、これらの空気が混ざり合い、この除湿された室温に近い空気が室内に送風され、室内を除湿するものである。一方、送風手段１９によって、吸気口２から本体ケース１内に吸気した空気は放熱器１１の一部、および加湿フィルター２３を介して、排気口５へと送風される。このように、送風手段１９によって放熱器１１に空気を当て、放熱器１１を冷却すると共に、加湿手段２１である貯水ケース２２の水よって放熱器を冷却（後で図２、図４を用いて詳述する）するものである。つまり、加湿時に加湿フィルターに含水させる貯水ケース２２の水を、除湿時には、放熱器１１を冷却するために用いるものである。このように、放熱器１１の冷却効率を高めることにより、除湿効率の向上を図ることが出来るものである。
【００２８】
更に、放熱器１１を冷却した空気は、風路切替手段２０によって排気口５へ風路の切替を行うことによって、排気口５から連通手段９を介して屋外へ排気するので、室内温度の上昇を低減することが出来るものである。
【００２９】
結果として、室内温度の上昇を低減すると共に、除湿効率の向上を図ることが出来るものである。
【００３０】
このように、放熱器１１に空気を当てるだけでなく、加湿手段２１である貯水ケース２２の水よって放熱器を冷却することにより、室内温度の上昇を低減すると共に、除湿効率の向上を図ることができるものである。
【００３１】
ここで、詳しく加湿手段２１を説明すると、加湿手段２１は、一定量の水が入った貯水ケース２２と、貯水ケース２２の水に周縁部の一部が浸含した円板形状の加湿フィルター２３と、加湿フィルター２３に貯水ケース２２の水を汲み上げ給水する給水部２４とから形成している。この加湿手段２１である給水部２４は、貯水ケース２２の水を汲み上げ放熱器１１にも給水するものである。
【００３２】
具体的には、貯水ケース２２は、上面が開口した略箱形状で、給水タンク（図示せず）から供給される一定量の水が入ったものであり、この貯水ケース２２には、回転自在に給水部２４を設置している。図４に示すように、この給水部２４は、第１の枠体部２５、第２の枠体部２６、および給水ケース部２７とから形成している。第１の枠体部２５は、中央部には回転の中心となる回転軸部２８を設け、周縁部には給水ケース部を固定する複数の給水ケース固定部２９を備え、この回転軸部２８と複数の給水ケース固定部２９とは、直線状および円形状の桟部３０によって連結されている。第２の枠体部２６は、中央部には回転の中心となる回転軸部３１を設け、周縁部には第１の枠体部２５の周縁部と嵌合する円筒形状の周縁保持部３２を備え、この回転軸部３１と周縁保持部３２とは、直線状および円形状の桟部３３によって連結されている。給水ケース部２７は、一面が開口した開口部３４を有した略箱形状であり、第１の枠体部２５の給水ケース固定部２９に固定され、第１の枠体部２５が回転軸部２８を中心に回転することによって、最下点では貯水ケース２２の水を汲み上げ、最上点では加湿フィルター２３と放熱器１１に向けて水をあびせかけるものである。加湿フィルター２３は、複数の繊維で形成された円板形状で、第１の枠体部２５と第２の枠体部２６との間に固定されるものである。
【００３３】
このような構成で、給水部２４である複数の給水ケース部２７を固定した第１の枠体部２５と、給水部２４である第２の枠体部２６との間に加湿フィルター２３を固定し、回転手段（図示せず）によって、回転することにより、最下点では給水ケース部２７は、貯水ケース２２の水を汲み上げ、最上点では給水ケース部２７内の水を、加湿フィルター２３および放熱器１１に水をあびせかけ、給水するものである。
【００３４】
すなわち、給水部２４によって、加湿フィルター２３および放熱器１１の両方に給水できるものである。
【００３５】
また、放熱器１１は、吸熱器１３の下部に設けたものである。具体的には、本体ケース１内の下部には圧縮機１０を設け、中央部には放熱器１１を設け、上部には吸熱器１３を設けものである。すなわち、圧縮機１０から冷媒が流れる順番、つまり圧縮機１０、放熱器１１、吸熱器１３の順に位置しているので、圧縮機１０と放熱器１１、および放熱器１１と吸熱器１３との接続配管部が短くできるので、接続配管部での熱ロスを抑制することができる。
【００３６】
また、放熱器１１は、蛇腹状の導管部１４と、この導管部１４に固定された複数のフィン部１５とから形成し、導管部１４に圧縮機１０から流れ込む冷媒は、放熱器１１の下部から上部へ流れる構成とし、吸熱器１３は、蛇腹状の導管部１６と、この導管部１６に固定された複数のフィン部１７とから形成し、導管部１６に圧縮機１０から流れ込む冷媒は、吸熱器１３の下部から上部へ流れる構成としたものである。
【００３７】
すなわち、放熱器１１の上部と、吸熱器１３の下部との間にで接続配管部を設けられ、放熱器１１と吸熱器１３との接続配管部が短くできるので、接続配管部での熱ロスを更に抑制することができる。
【００３８】
また、放熱器１１の表面積は吸熱器１３の表面積より大きいものである。具体的には、放熱器１１と吸熱器１３とは、本体ケース１に対する左右水平方向の寸法は、ほぼ同じであるが、上下方向の寸法は、吸熱器１３より放熱器１１の方が大きいものである。すなわち、放熱器１１の蛇腹状の導管部１４である水平方向の直管部同士の間隔が大きくなり、開口面積も大きくなるので、放熱器１１での風路抵抗が小さくなる。これにより、加湿時に、吸気口２から、空気清浄フィルター８、放熱器１１の一部を順次介して排気口４または排気口５へと送風される加湿風路の風路抵抗が小さくなるので、加湿能力を向上することが出来る。
【００３９】
また、加湿手段２１である給水部２４は、貯水ケース２２の水を汲み上げ放熱器１１の下部に給水する構成としたものである。具体的には、除湿時に、放熱器１１の中央部よりやや下に給水ケース部で汲み上げた水を供給するものである。これは、圧縮機１０から流れ込んだ冷媒は、放熱器１１の導管部１４を下部から上部へ流れるので、放熱器１１の温度が高い部分に水を供給するものである。
【００４０】
これにより、放熱器１１の冷却を効率よく行うことが出来る。
【００４１】
また、送風手段１８は、吸熱器１３の下部に位置する構成としたものである。具体的には、送風手段１８は、ファンケーシング３５と、このファンケーシング３５内に配置された電動機３６と、この電動機３６によって回転する羽根３７とから形成している。このファンケーシング３５には、本体ケース１の前面側に吸込口３８と、本体ケース１の天面側に吐出口３９とを備えている。この吸込口３８が、吸熱器１３の下部に位置するものである。ここで、膨張手段１２から流れ込んだ冷媒は、吸熱器１３の導管部１６を下部から上部へ流れるので、吸熱器１３の温度が低い部分に室内空気を供給するものである。
【００４２】
これにより、吸熱器１３での除湿効率の向上を行うことが出来る。
【００４３】
また、ヒートポンプ６の熱量を変化させる制御手段４０を備えたものである。具体的には、制御手段４０は、ヒートポンプ６を停止する場合、熱量が小さい弱ノッチの場合、熱量が大きい強ノッチの場合である３種類の切り替えが出来るものである。まず、除湿時には、制御手段４０は、ヒートポンプ６を熱量が大きい強ノッチで動作させ、除湿するものである。一方、加湿時には、ヒートポンプ６を停止させる場合と、ヒートポンプ６を熱量が小さい弱ノッチで動作させる場合の２種類の加湿ができる。ここで、ヒートポンプ６を熱量が除湿時の強ノッチより小さい弱ノッチの場合には、吸熱器１３の熱量は、冬場の室内の空気を吸熱器１３に供給した場合に、結露が発生しない程度の熱量である。この状態で加湿すると、送風手段１９によって、吸気口２から本体ケース１内に吸気した空気は、空気清浄手段７である空気清浄フィルター８、放熱器１１の一部、加湿手段２１を順次介して排気口４から室内へと送風されるものである。ここで、加湿手段２１に供給される空気は、ヒートポンプ６の熱量が小さい弱ノッチではあるが、放熱器１１で空気が暖められ、高温で相対湿度の低い状態となるので、水を含水した加湿フィルター２３からの湿気の放出量が大きくなり、加湿能力を向上することが出来る。また、ヒートポンプ６を停止させる場合には、送風手段１８も停止し、風路切替手段２０により、排気口４へ風路の切替を行い、送風手段１９によって、吸気口２から本体ケース１内に吸気した空気を放熱器１１の一部、および加湿フィルター２３を介して、排気口４から室内へと送風するものである。つまり、加湿手段２１である加湿フィルター２３は、貯水ケース２２の水を含水しているので、この水が、送風手段１９によって送風される空気に湿気を与え、この湿気を含んだ空気によって室内を加湿するものである。このように、ヒートポンプ６および送風手段１８を停止させるので、ヒートポンプ６を熱量が小さい弱ノッチで動作させる場合に比べ、加湿量は劣るが、省エネモードの加湿動作が出来る。
【００４４】
また、加湿手段２１は、放熱器１１の下部に位置する構成としたものである。具体的には、加湿手段２１の給水部２４である複数の給水ケース部２７を固定した第１の枠体部２５と、給水部２４である第２の枠体部２６との間に固定した加湿フィルター２３を、放熱器１１の下部に対向した位置に設けたものである。すなわち、放熱器１１は、蛇腹状の導管部１４と、この導管部１４に固定された複数のフィン部１５とから形成し、導管部１４に圧縮機１０から流れ込む冷媒は、放熱器１１の下部から上部へ流れる構成であるので、放熱器１１の温度が高い部分を通過した空気が、主に加湿フィルター２３に供給されるものである。つまり、より高温で相対湿度の低い状態となった空気が、加湿フィルター２３へ供給されるので、水を含水した加湿フィルター２３からの湿気の放出量が大きくなり、加湿能力を向上することが出来る。
【００４５】
また、第２の送風手段は、放熱器の下部に位置する構成としたものである。具体的には、送風手段１９は、ファンケーシング４１と、このファンケーシング４１内に配置された電動機４２と、この電動機４２によって回転する羽根４３とから形成している。このファンケーシング４１には、本体ケース１の前面側に吸込口４４と、本体ケース１の天面側に吐出口４５とを備えている。この第２の吸込口４４が、放熱器１１の下部で、加湿手段２１である加湿フィルター２３に対向した位置に設けたものである。すなわち、送風手段１９によって、吸気口２から本体ケース１内に吸気した空気は、空気清浄手段７である空気清浄フィルター８、放熱器１１の下部である放熱器１１の温度が高い部分、加湿手段２１である加湿フィルター２３を順次介して排気口４または排気口５へと送風される。ここで、この放熱器１１の下部である放熱器１１の温度が高い部分と、加湿手段２１である加湿フィルター２３とがほぼ一直線上に位置するので、風路抵抗が低減され、加湿能力を向上することが出来る。
【００４６】
また、加湿手段２１である貯水ケース２２は、略箱形状で上面が開口し、この開口の上端部は放熱器の下端部より下に位置した構成である。すなわち、送風手段１９によって、吸気口２から本体ケース１内に吸気した空気は、空気清浄手段７である空気清浄フィルター８、放熱器１１、加湿手段２１を順次介して排気口４または排気口５へと送風される。ここで、この放熱器１１から、加湿手段２１に送風される場合に、加湿手段２１である加湿フィルター２３の風路上流側および風路下流側に位置する貯水ケース２２の上端部は、放熱器１１の下端部より下に位置するので、加湿手段２１から加湿フィルター２３への風路に貯水ケースが突出していないものである。結果として、貯水ケース２２は風路抵抗にならないので、加湿能力を向上することが出来る。
【００４７】
また、本体ケース１を略箱形状とし、排気口３と排気口４は、本体ケース１の天面に隣接して設けたものである。具体的には、排気口４は、本体ケース１の前後方向の後側の天面に位置する略横長四角形状の開口である。排気口３は、本体ケース１の前後方向で排気口４の前側に位置する略横長四角形状の開口である。このように、排気口３と排気口４とが隣接することにより、ヒートポンプ６の熱量が小さい弱ノッチで加湿する場合に、排気口３から送風される、吸熱器１３で冷やされた空気と、放熱器１１の一部で暖められた空気とが混ざり合った、室温よりは温度が低い空気と、排気口４から送風される、放熱器１１の一部で暖められ、加湿手段２１で加湿された室温よりは温度が高い空気とが混ざり合うことにより、室温に近い温度となり、加湿時の室温の上昇を抑制することが出来る。
【００４８】
また、図５に示すように、本体ケース１と屋外とを連通する連通手段９は、柔軟性のある中空形状のパイプ４６である。具体的には、連通手段９は、排気口５に設けられ、柔軟性のある中空形状で、本体ケース１と屋外とを連通し、円筒形状のフレキシブルなパイプ４６である。このパイプ４６の一端を排気口５に接続し、他端を室内の壁に設けた孔、例えば、エアコン配管用の孔から屋外に出すものである。このように、本体ケース１の排気口５と屋外とを連通する場合に、柔軟性のあるパイプ４６なので、配管作業を容易に行うことが出来る。
【００４９】
また、連通手段９は、外周部に断熱部分を設けたものである。具体的には、連通手段９であるパイプ４６の外周部に断熱部分である断熱材４７を巻いたものである。これにより、パイプ４６内での結露を抑制できる。
【００５０】
また、吸気口２と放熱器１１および吸熱器１３との間に空気清浄手段７を設けた構成としたものである。これにより、室内の空気が吸気口から空気清浄手段７を介して、放熱器１１および吸熱器１３に送風されるので、加湿、除湿をしながら、空気清浄を行うことが出来る。
【産業上の利用可能性】
【００５１】
以上のように本発明は、吸気口と第１、第２、第３の排気口を有し、室内に設置される本体ケースと、この本体ケース内に設けられたヒートポンプとを備え、このヒートポンプは、圧縮機と、圧縮機の下流に順次設けた放熱器、膨張手段、吸熱器により形成し、前記吸気口から前記本体ケース内に吸気した空気を前記吸熱器または前記放熱器の一部を介して前記第１の排気口へと送風する第１の送風手段と、前記吸気口から前記本体ケース内に吸気した空気を前記放熱器の一部を介して前記第２の排気口または前記第３の排気口へと送風する第２の送風手段を設けるとともに、前記第１、第２の排気口は前記本体ケースと室内とを連通し、前記第３の排気口には前記本体ケースと屋外とを連通する連通手段を備え、前記吸気口から前記本体ケース内に吸気した空気を前記放熱器を介して前記第２の排気口または前記第３の排気口へと風路を切替る風路切替手段を備え、前記放熱器と前記第２の送風手段との間に加湿手段を設け、この加湿手段は、一定量の水が入った貯水ケースと、この貯水ケースの水を含水する加湿フィルターとから形成し、前記貯水ケースの水によって前記放熱器を冷却する構成としたものであるので、室内温度の上昇を低減すると共に、除湿効率の向上ができるものである。
【００５２】
すなわち、除湿動作においては、まず、圧縮機で冷媒を高温高圧の気体状態にし、この冷媒が放熱器に流れ、この放熱器を冷却することにより、冷媒は熱が奪われ液化し、次に、放熱器で液化された冷媒を膨張手段により低圧にすることによって気液２層状態にし、最後に、この気液２層状態の冷媒を吸熱器に流し、この吸熱器に室内の空気を当て結露させることにより、除湿するものである。ここで、放熱器で冷媒を冷却する場合に、放熱器に空気を当てると共に、加湿手段である貯水ケースの水よって放熱器を冷却するものである。つまり、加湿時に加湿フィルターに含水させる貯水ケースの水を、除湿時には、放熱器を冷却するために用いるものである。これにより、除湿効率の向上を図ることが出来るものである。更に、放熱器を冷却した空気は、第３の排気口から連通手段を介して屋外へ排気するので、室内温度の上昇を低減することが出来る。
【００５３】
結果として、室内温度の上昇を低減すると共に、除湿効率の向上を図ることが出来るものである。
【００５４】
従って、家庭用や事務所用などの、空気調和機として活用が期待されるものである。
【符号の説明】
【００５５】
１    本体ケース
２    吸気口
３    排気口
４    排気口
５    排気口
６    ヒートポンプ
７    空気清浄手段
８    空気清浄フィルター
９    連通手段
１０  圧縮機
１１  放熱器
１２  膨張手段
１３  吸熱器
１４  導管部
１５  フィン部
１６  導管部
１７  フィン部
１８  送風手段
１９  送風手段
２０  風路切替手段
２１  加湿手段
２２  貯水ケース
２３  加湿フィルター
２４  給水部
２５  第１の枠体部
２６  第２の枠体部
２７  給水ケース部
２８  回転軸部
２９  給水ケース固定部
３０  桟部
３１  回転軸部
３２  周縁保持部
３３  桟部
３４  開口部
３５  ファンケーシング
３６  電動機
３７  羽根
３８  吸込口
３９  吐出口
４０  制御手段
４１  ファンケーシング
４２  電動機
４３  羽根
４４  吸込口
４５  吐出口
４６  パイプ
４７  断熱材
【図１】
2011017469.tif 000003
【図２】
2011017469.tif 000004
【図３】
2011017469.tif 000005
【図４】
2011017469.tif 000006
【図５】
2011017469.tif 000007